(57)【要約】【課題】顧客又はエンドユーザによるアクセス又はその変更を防止しつつ、製造業者によるトランシーバ内の特定情報へのアクセスとその変更を許容できるようにする。【解決手段】本発明のトランシーバシステムはホスト（１１０）と、前記ホスト（１１０）に接続されたトランシーバ（１２０）とを有し、前記トランシーバは、ホストから第１要求を受信するべく構成されると共に、前記トランシーバは、前記第１要求の受信に応答し、試験モード動作に入るべく構成されている。【選択図】図１
2004222299.tif 000002
【特許請求の範囲】
【請求項１】
ホストと、
前記ホストに接続されたトランシーバと、を有し、
前記トランシーバは、前記ホストから第１要求を受信し、前記第１要求の受信に応答し試験モード動作に入ることを特徴とするトランシーバシステム。
【発明の詳細な説明】
【技術分野】
【０００１】
本発明は、トランシーバに関し、更に詳しくは、試験モード動作を有するトランシーバとトランシーバシステムに関するものである。
【背景技術】
【０００２】
トランシーバやその他の電子デバイスの場合、デバイスを適切に動作させるために、事前にデバイスの１つ又は複数の構成要素に対して較正又は調整機能を実行することが必要である。これらの較正又は調整機能を正しく実行しなければ、トランシーバが誤動作する可能性があるため、これらの較正及び調整機能は、通常、製造業者又は認可されたサービス技術者によって実行される。トランシーバの顧客又はその他のエンドユーザが、これらの較正又は調整機能にアクセスすることは、通常、許されてはいない。
【０００３】
トランシーバ内に設置する前に、いくつかの構成要素に対して、これらの較正及び調整機能を実行可能なトランシーバも存在する。これらのトランシーバの場合、較正及び調整機能に使用する様々なパラメータや定数がトランシーバ内に保存されており、トランシーバに接続されたホストが、この情報にアクセスしたり、この情報を変更したりすることはできないようになっている。
【０００４】
しかしながら、その他のトランシーバの場合には、較正及び調整機能に使用する様々なパラメータや定数に、ホストからアクセス可能であり、且つ／或いは、これらの情報をホストが変更することができる。これらの情報は、ホストからアクセス可能であってもよいが、製造業者としては、装置の動作を適切且つ安全なものにするべく、顧客又はエンドユーザによるトランシーバ内の情報へのアクセスとその変更の防止を望むであろう。
【発明の開示】
【発明が解決しようとする課題】
【０００５】
従って、顧客又はエンドユーザによる情報へのアクセス又はその変更を防止しつつ、製造業者によるトランシーバ内の特定情報へのアクセスとその変更を許容できるようにすることが課題である。
【課題を解決するための手段】
【０００６】
本発明では、ホストと、このホストに接続されたトランシーバと、を有するトランシーバシステムを提供するものであり、トランシーバは、ホストから要求を受信し、この要求の受信に応答して試験モード動作に入るべく構成されている。
【発明を実施するための最良の形態】
【０００７】
好適な実施例に関する以下の詳細な説明においては、本明細書の一部を形成する添付の図面を参照しており、それらの図面には、例として、本発明を実施可能な特定の実施例が示されている。本発明の範囲を逸脱することなく、その他の実施例を利用することも可能であり、構造的又は論理的な変更を加えることも可能であることを理解されたい。従って、以下の詳細な説明は、限定を目的とするものとして解釈されてはならず、本発明の範囲は、添付の特許請求の範囲によって定義されるものである。
【０００８】
本明細書においては、試験モード動作を有するトランシーバについて例示し説明する。トランシーバは、電源投入又はリセットに応答し、そのトランシーバに関連するすべての較正段階が完了しているかどうかを判定する。そして、すべての段階が完了していない場合には、トランシーバは試験モード動作に入り、ホストと共に較正段階を実行する。次いで、すべての段階が成功裏に完了した後に、トランシーバは顧客モード動作に入り、そのトランシーバのエンドユーザへの出荷準備が完了したことを示す。１つ又は複数の段階が成功裏に完了しない場合には、それらの段階を再試行すると共に／或いは、トランシーバに対して故障解析技法を適用することができる。ホストは、適切な要求をトランシーバに対して出すことにより、トランシーバを試験モード動作に再設定することができる。
【０００９】
図１は、試験モード動作を有するトランシーバ１２０を含むトランシーバシステム１００の実施例を示すブロックダイアグラムである。図１に示されているように、トランシーバ１２０には、ホスト１１０が接続されている。トランシーバ１２０には、送信機１２２、受信機１２４、コントローラ１２６、及び光インターフェイス１２８が含まれている。送信機１２２には、レーザ１３０、メモリ１３４、インターフェイス１３６、変調器及びバイアスＤ／Ａコンバータ（ＤＡＣ）１３８、及びフラグ１４６が含まれている。受信機１２４には、Ａ／Ｄコンバータ（ＡＤＣ）１４０が含まれている。コントローラ１２６には、ファームウェア１４２とメモリ１４４が含まれている。
【００１０】
ホスト１１０は、トランシーバ１２０と共に動作するべく構成された有線又は無線装置であれば、どのようなタイプのものであってもよい。ホスト１１０は、トランシーバ１２０の外付けになっている。このような装置の例には、試験システム、サーバーコンピュータシステム、パーソナルコンピュータシステム、ラップトップコンピュータシステム、携帯コンピュータシステム、携帯情報端末、及び携帯電話が含まれる。
【００１１】
トランシーバ１２０は、以下に詳述するように、電気信号を送受信することによってホスト１１０と通信するべく構成された光トランシーバを備える。又、トランシーバ１２０は、光インターフェイス１２８を使用して光信号を送受信することにより、別の装置（図示されてはいない）とも通信する。光インターフェイス１２８は、ファイバチャネルインターフェイスやその他のタイプの光インターフェイスであってよい。
【００１２】
一実施例においては、トランシーバ１２０は、ＳＦＦ（Ｓｍａｌｌ  Ｆｏｒｍ  Ｆａｃｔｏｒ）委員会が規定する光トランシーバ用のディジタル診断監視インターフェイスに関するＳＦＦ−８４７２規格に準拠している。その他の実施例においては、トランシーバ１２０は、その他の規格に準拠したものであってよい。
【００１３】
送信機１２２は、動作上、接続１５２を使用してホスト１１０からディジタル出力信号を受信するべく構成された光送信機を備える。変調器及びバイアスＤＡＣ１３８により、このディジタル出力信号がアナログ出力信号に変換され、このアナログ出力信号がレーザ１３０に供給される。これらのディジタル出力信号及びアナログ出力信号は、電気信号を含む。レーザ１３０は、このアナログ出力信号に応答して光出力信号を生成し、この光出力信号が接続１５４を使用して光インターフェイス１２８に供給される。
【００１４】
受信機１２４は、接続１５６を使用して光インターフェイス１２８から光入力信号を受信するべく構成された光受信機を備える。Ａ／Ｄコンバータ１４０により、この光入力信号がアナログ入力信号からディジタル入力信号に変換され、このディジタル入力信号が接続１５８によってホスト１１０に供給される。これらのディジタル出力信号及びアナログ出力信号は、電気信号を含む。
【００１５】
トランシーバ１２０は、電気的接続１６０を使用してホスト１１０とも通信する。具体的には、トランシーバ１２０は、接続１６０を使用してホスト１１０から制御信号を受信する。更に、トランシーバ１２０は、接続１６０を使用してホスト１１０に情報を提供する。図１の実施例において、電気的接続１６０は、ホスト１１０を送信機１２２に接続しており、この接続は、ｈｔｔｐ：／／ｗｗｗ．ｓｅｍｉｃｏｎｄｕｃｔｏｒｓ．ｐｈｉｌｉｐｓ．ｃｏｍ／ａｃｒｏｂａｔ／ｖａｒｉｏｕｓ／Ｉ２Ｃ＿ＢＵＳ＿ＳＰＥＣＩＦＩＣＡＴＩＯＮ＿３．ｐｄｆに存在するフィリップス半導体社（Ｐｈｉｌｉｐｓ  Ｓｅｍｉｃｏｎｄｕｃｔｏｒｓ）が提供するＩ２Ｃバス規格によって提供されるＩ２Ｃ接続であり、インターフェイス１３６は、Ｉ２Ｃバスインターフェイスから構成されている。更に、接続１６０及びインターフェイス１３６は、ｈｔｔｐ：／／ｗｗｗ．ａｔｍｅｌ．ｃｏｍ／ａｔｍｅｌ／ａｃｒｏｂａｔ／ｄｏｃ０１８０．ｐｄｆに存在するアトメル社（Ａｔｍｅｌ）が提供するＡＴＭＥＬ  ＡＴ２４Ｃ０１Ａ／０２／０４データシートによって提供されるＡＴＭＥＬ  ＡＴ２４Ｃ０１Ａ／０２／０４ファミリー構成要素用に定義された２線シリアルＣＭＯＳ  ＥＥＰＲＯＭプロトコルに準拠している。
【００１６】
インターフェイス１３６は、ハードウェア、或いはハードウェア及びソフトウェア構成要素の組み合わせを備え得る。メモリ１３４は、情報を保存するべく構成されたどのようなタイプの揮発性又は不揮発性メモリであってもよい。図１の実施例においては、メモリ１３４はＳＲＡＭで構成されている。
【００１７】
コントローラ１２６は、接続１６４を使用して送信機１２２及び受信機１２４に制御信号を供給すると共に、これらからフィードバック信号を受信する。図１の実施例においては、接続１６４は、ｈｔｔｐ：／／ｗｗｗ．ｓｅｍｉｃｏｎｄｕｃｔｏｒｓ．ｐｈｉｌｉｐｓ．ｃｏｍ／ａｃｒｏｂａｔ／ｖａｒｉｏｕｓ／Ｉ２Ｃ＿ＢＵＳ＿ＳＰＥＣＩＦＩＣＡＴＩＯＮ＿３．ｐｄｆに存在するフィリップス半導体社（Ｐｈｉｌｉｐｓ  Ｓｅｍｉｃｏｎｄｕｃｔｏｒｓ）が提供するＩ２Ｃバス規格によって提供される内部Ｉ２Ｃ接続であり、コントローラ１２６はマスタとして機能し、送信機１２２及び受信機１２４はスレーブとして機能する。その他の実施例においては、接続１６４は、その他のどのようなタイプのシリアル又はパラレル接続であってもよい。
【００１８】
コントローラ１２６には、制御信号を生成しフィードバック信号を受信並びに処理するべくコントローラ１２６が実行可能なファームウェア１４２が含まれている。その他の実施例においては、コントローラ１２６は、本明細書で説明する機能を実行するべく、その他のハードウェア及び／又はファームウェア又はソフトウェアの組み合わせを含むことができる。メモリ１４４は、レジスタ、フラッシュメモリ、ＲＡＭ、又はＥＥＰＲＯＭを含むどのようなタイプの揮発性及び不揮発性記憶装置、或いは、それらの組み合わせであってもよい。
【００１９】
トランシーバ１２０の動作モードには、試験モードと顧客モードという少なくとも２つのものが含まれている。いずれのモードにおいても、トランシーバ１２０は、ホスト１１０と共に動作する。試験モード動作においては、ホスト１１０は、トランシーバ１２０に対して較正段階を実行する。この較正段階には、トランシーバ１２０に情報を保存する段階と、送信機１２２、受信機１２４、及びトランシーバ１２０のその他の構成要素を較正及び又は調整する段階と、が含まれる。保存する情報には、製造情報、生産情報、装置情報、レビジョン情報、レーザ１３０の較正定数を含む送信機１２２の設定及びパラメータ、ＯＭＡ（ｏｐｔｉｃａｌ  ｍｏｄｕｌａｔｉｏｎ  ａｍｐｌｉｔｕｄｅ）テーブルを含む受信機１２４の設定及びパラメータ、クロック情報、温度係数情報、温度／Ｖｃｃ較正定数、及びＥＥＰＲＯＭ情報が含まれる。
【００２０】
試験モード動作においては、トランシーバ１２０は、トランシーバ１２０の構成要素に対して自己試験を実行し、それぞれの構成要素の機能とレビジョン情報を検証することができる。更に、トランシーバ１２０は、レジスタの内容などの状態情報をトランシーバ１２０の構成要素からホスト１１０に供給する。更に、試験モード動作において、トランシーバ１２０は、内部監視タスクを実行可能である。
【００２１】
試験モード動作においては、トランシーバ１２０は、ホスト１１０からの要求に応答して較正段階を実行する。ホスト１１０は、インターフェイス１３６を使用し、較正段階に関連する要求をトランシーバ１２０に出す。この要求には、コマンド、アドレス、コマンドに関連する情報が含まれ、コントローラ１２６に関連する装置アドレスも含まれる。インターフェイス１３６は、接続１６１を使用し、この要求をメモリ１３４内に保存する。この要求に応答し、インターフェイス１３６は、要求を受信したことをコントローラ１２６に通知するフラグ１４６を接続１６２を使用して設定する。コントローラ１２６は、接続１６３を使用して定期的にフラグ１４６をポーリングし、インターフェイス１３６によってフラグ１４６が設定されたと判定した際に、コントローラ１２６は、接続１６４を使用してメモリ１３４内の要求にアクセスする。
【００２２】
コントローラ１２６は、要求に関連する較正段階を実行することにより、その要求を処理する。そして、その較正段階が完了すると、コントローラ１２６は、その段階が実行されたことを示す標識をメモリ１４４に保存する。又、コントローラ１２６は、接続１６４を使用してメモリ１３４内に、この標識を保存し、接続１６３を使用してフラグ１４６をクリアすることにより、ホスト１１０に対しても標識を供給する。インターフェイス１３６は、フラグ１４６のクリアを検出するか、或いは、メモリ１３４への保存を監視することにより、メモリ１３４内の標識を検出する。この標識の検出に応答し、インターフェイス１３６は、標識をホスト１１０に供給する。ホスト１１０は、この標識をメモリ（図示されてはいない）に保存する。次いで、ホスト１１０は、更なる較正段階を上述のように同様に実行することができる。
【００２３】
コントローラ１２６は、較正段階を完了するごとに、コントローラ１２６が、メモリ１４４内の情報にアクセスし、すべての較正段階が完了しているかどうかを判定する。この情報には、それぞれの段階が成功裏に完了しているかどうかを示すそれぞれの較正段階に関連する標識が含まれている。ある段階が実行されていないか、或いは、成功裏に実行されていない場合には、コントローラ１２６は、トランシーバ１２０を試験モード動作に保持する。そして、すべての段階が成功裏に実行されている場合に、コントローラ１２６は、トランシーバ１２０を顧客モード動作に設定する。
【００２４】
ホスト１１０は、それぞれの較正段階ごとにトランシーバ１２０から受信する標識によっても、すべての較正段階が成功裏に完了したかどうかを判定することができる。この標識は、それぞれの較正段階が成功裏に完了したかどうか、並びにエラーが発生したかどうかを示している。又、ホスト１１０は、トランシーバ１２０を試験モード動作から離脱させる要求をトランシーバ１２０に出すこともできる。この試験モード離脱要求に応答し、トランシーバ１２０は、トランシーバ１２０に対して実行した較正段階の中のどれが成功裏に完了しなかったのかを示す標識を供給する（成功裏に完了しなかった較正段階が存在する場合）。１つ又は複数の較正段階が成功裏に完了しなかったと判定した場合には、ホスト１１０は、トランシーバ１２０に対して故障解析機能を実行することができる。すべての較正段階が成功裏に完了したと判定された場合には、ホスト１１０は、トランシーバ１２０の顧客又はエンドユーザに対する出荷準備が完了したと判定可能である。
【００２５】
顧客モード動作においては、トランシーバ１２０は、通常、ホスト１１０と共に動作する。具体的には、トランシーバ１２０は、ホスト１１０から電気信号を受信し、この電気信号を光信号に変換し、この光信号を光インターフェイス１２８を使用して別の装置（図示されてはいない）に供給する。更に、トランシーバ１２０は、光インターフェイス１２８を介してその他の装置から光信号を受信し、この光信号を電気信号に変換し、この電気信号をホスト１１０に供給する。顧客モード動作では、いずれの時点においても、ホスト１１０は、試験モードの設定要求をトランシーバ１２０に対して出すことにより、トランシーバ１２０を試験モード動作に再設定することができる。
【００２６】
図２は、トランシーバの動作モードを変更する方法の実施例を示すフローチャートである。以下、図１を参照し、図２の方法の実施例について説明する。図２のブロック２０２に示されているように、コントローラ１２６は、トランシーバ１２０のすべての較正段階が完了しているかどうかを判定する。この判定は、トランシーバ１２０の電源投入（即ち、スイッチオン）又はリセットに応答して実行可能である。
【００２７】
トランシーバ１２０のすべての較正段階が完了している場合には、トランシーバ１２０は、ブロック２０４に示されているように、顧客モード動作に入る。次いで、ブロック２０６に示されているように、ホスト１１０からの試験モード設定要求をコントローラ１２６が検出するかどうかを判定する。そして、コントローラ１２６が試験モード設定要求を検出した場合には、トランシーバは、ブロック２０８に示されているように、試験モード動作に入る。
【００２８】
トランシーバ１２０のすべての較正段階が完了していない場合には、トランシーバ１２０は、ブロック２０８に示されているように、試験モード動作に入る。次いで、ブロック２１０に示されているように、ホスト１１０からの要求をコントローラ１２６が検出しているかどうかを判定する。コントローラ１２６は、フラグ１４６をポーリングすることにより、要求を検出することができる。そして、コントローラ１２６がホスト１１０からの要求を検出していない場合には、この方法では、ブロック２１０の機能を再度反復実行する。コントローラ１２６がホスト１１０からの要求を検出している場合には、コントローラ１２６は、ブロック２１２に示されているように、その要求にアクセスする。コントローラ１２６は、メモリ１３４に存在する要求にアクセスする。そして、コントローラ１２６は、ブロック２１４に示されているように、その要求を処理する。
【００２９】
ブロック２１６に示されているように、要求が成功裏に完了したかどうかを判定する。そして、要求が成功裏に完了しなかった場合には、コントローラ１２６は、ブロック２１８に示されているように、エラー標識をメモリ１４４内に保存する。又、コントローラ１２６は、ブロック２２０に示されているように、ホスト１１０に対してもエラー標識を供給する。このエラー標識は、メモリ１３４及びインターフェイス１３６を使用してホスト１１０に供給される。
【００３０】
要求が成功裏に完了している場合には、コントローラ１２６は、ブロック２２２に示されているように、メモリ１４４内に成功標識を保存する。又、コントローラ１２６は、ブロック２２４に示されているように、ホスト１１０に対しても成功標識を供給する。この成功標識は、メモリ１３４及びインターフェイス１３６を使用してホスト１１０に供給される。
【００３１】
図３は、試験モード動作のトランシーバとやり取りする方法の実施例を示すフローチャートである。以下、図１を参照し、図３の方法の実施例について説明する。図３のブロック３０２に示されているように、ホスト１１０は、要求をトランシーバ１２０に対して出す。この要求は、較正段階の実行要求、又は試験モードの設定要求である。試験モードの設定要求により、トランシーバ１２０は試験モード動作に入り、較正段階の実行要求により、トランシーバ１２０に対してその較正段階が実行される。ブロック３０４に示されているように、ホスト１１０は、この要求に関連する標識を受信したかどうかを判定する。そして、ホスト１１０が、要求に関連する標識を受信していない場合には、ホスト１１０は、ブロック３０６に示されているように、トランシーバ１２０に関連するエラー状態を検出し、この方法は終了する。トランシーバ１２０は、較正段階の成功／不成功に関係なく、較正段階の実行に応答して標識を供給するように構成されているため、ホスト１１０が標識を受信しない場合には、エラー状態と見なすことができるのである。
【００３２】
ホスト１１０が要求に関連する標識を受信している場合には、ホスト１１０は、ブロック３０８に示されているように、この標識を保存する。次いで、ブロック３１０に示されているように、ホスト１１０は、実行を要する更なる較正段階が存在するかどうかを判定する。そして、実行を要する更なる較正段階が存在する場合には、この方法では、ブロック３０２の機能を反復実行する。実行を要する更なる較正段階が存在しない場合には、この方法は終了する。
【００３３】
図４は、トランシーバの試験モード動作からエラーを検出する方法の実施例を示すフローチャートである。以下、図１を参照し、図４の方法の実施例について説明する。図４のブロック４０２に示されているように、ホスト１１０は、較正段階で保存された標識をチェックする。次いで、ブロック４０４に示されているように、ホスト１１０は、それらの標識を使用し、エラーが検出されているかどうかを判定する。そして、エラーが検出されている場合には、ホスト１１０は、ブロック４０６に示されているように、故障の発生したトランシーバ１２０を解析し、この方法は終了する。エラーが検出されていない場合には、ホスト１１０は、ブロック３０８に示されているように、トランシーバ１２０の出荷準備が完了したことを示す。
【００３４】
図４の別の実施例においては、ホスト１１０は、較正段階に関連する標識が保存された際に、即時にエラーを検出することができる。このエラーに応答し、ホスト１１０は、故障の修復を試みるか、或いは、故障の発生したトランシーバ１２０に対して１つ又は複数の故障解析機能を実行することができる。
【００３５】
図５は、試験モード動作を有するトランシーバを含むトランシーバシステムの別の実施例を示すブロックダイアグラムである。図５の実施例は、図２〜図４を参照して説明した図１の実施例と略同様に動作する。しかしながら、図５の場合には、キャッシュ１３４とインターフェイス１３６が送信機１２２には含まれていない。この実施例は、トランシーバ１２０のその他の部分又は構成要素にキャッシュ１３４とインターフェイス１３６を含むことができることを示すものである。
【００３６】
本明細書においては、好適な実施例を説明するべく、特定の実施例について例示し説明しているが、当業者であれば、本発明の範囲を逸脱することなく、同一の目的を実現するべく適合された様々な代替及び／又は等価実施例により、これらの例示及び説明した特定の実施例を置換可能であることを理解するであろう。化学、機械、電気機械、電気、及びコンピュータ分野における知識を有する者であれば、本発明が、一部を下記するが、様々な実施態様で実施可能であることを容易に理解するであろう。本出願は、本明細書において説明した好適な実施例のあらゆる適合や変形を包含するものである。従って、本発明を限定するものは、特許請求の範囲及びその等価物のみである。
【００３７】
（実施態様１）：ホスト（１１０）と、前記ホスト（１１０）に接続されたトランシーバ（１２０）と、を有し、前記トランシーバは、ホストから第１要求を受信するべく構成されると共に、前記トランシーバは、前記第１要求の受信に応答し、試験モード動作に入るべく構成されていることを特徴とするトランシーバシステム。
【００３８】
（実施態様２）：前記トランシーバが、前記試験モード動作に入る前に、顧客モード動作で動作することを特徴とする実施態様１に記載のトランシーバシステム。
【００３９】
（実施態様３）：前記トランシーバは、前記ホストから第２要求を受信するべく構成されると共に、前記トランシーバは、前記第２要求の受信に応答し、較正段階を実行するべく構成されていることを特徴とする実施態様１に記載のトランシーバシステム。
【００４０】
（実施態様４）：前記較正段階が、前記ホストから受信した情報を前記トランシーバ内に保存する段階を有することを特徴とする実施態様３に記載のトランシーバシステム。
【００４１】
（実施態様５）：コントローラ（１２６）と、前記コントローラに接続され、第１情報を含む第１メモリ（１４４）と、を有し、前記コントローラは、前記第１情報にアクセスするべく構成されると共に、前記コントローラは、較正段階が完了していないことを示す前記第１情報に応答し、試験モード動作に入るべく構成されていることを特徴とするトランシーバ。
【００４２】
（実施態様６）：前記コントローラは、電源投入に応答し、前記第１情報にアクセスするべく構成されていることを特徴とする実施態様５に記載のトランシーバ。
【００４３】
（実施態様７）：前記コントローラは、前記較正段階が完了していることを示す前記第１情報に応答し、顧客モード動作に入るべく構成されていることを特徴とする実施態様５に記載のトランシーバ。
【００４４】
（実施態様８）：前記コントローラは、前記較正段階に関連する要求をホスト（１１０）から受信するべく構成されると共に、前記コントローラは、前記要求の受信に応答し、前記第１較正段階を実行するべく構成されていることを特徴とする実施態様５に記載のトランシーバ。
【００４５】
（実施態様９）：前記コントローラは、前記第１較正段階の実行に応答し、顧客モード動作に入るべく構成されていることを特徴とする実施態様８に記載のトランシーバ。
【００４６】
（実施態様１０）：前記コントローラは、前記較正段階に関連するエラーの検出に応答し、標識を前記ホストに供給するべく構成されていることを特徴とする実施態様８に記載のトランシーバ。
【００４７】
（実施態様１１）：前記コントローラは、前記較正段階が成功裏に完了したことを検出した際に、標識を前記ホストに供給するべく構成されていることを特徴とする実施態様８に記載のトランシーバ。
【図面の簡単な説明】
【００４８】
【図１】試験モード動作を有するトランシーバを含むトランシーバシステムの実施例を示すブロック図である。
【図２】トランシーバの動作モードを変更する方法の実施例を示すフローチャートである。
【図３】試験モード動作のトランシーバとやり取りする方法の実施例を示すフローチャートである。
【図４】トランシーバの試験モード動作からエラーを検出する方法の実施例を示すフローチャートである。
【図５】試験モード動作を有するトランシーバを含むトランシーバシステムの別の実施例を示すブロック図である。
【符号の説明】
【００４９】
１１０  ホスト
１２０  トランシーバ
１２６  コントローラ
１４４  第１メモリ
【図１】
2004222299.tif 000003
【図２】
2004222299.tif 000004
【図３】
2004222299.tif 000005
【図４】
2004222299.tif 000006
【図５】
2004222299.tif 000007